(57)【要約】【課題】レンズ偏芯機能を有する交換レンズにおいて、どのような被写体にも最適な偏芯量を提示することが可能な撮像装置を提供すること。【解決手段】レンズユニットの少なくとも一部を光軸に対して偏芯可能な撮像光学系（１０）と、前記撮像光学系（１０）から入射された光束を複数の領域に瞳分割するように撮像画素を複数配列した撮像素子（２４）と、前記撮像素子（２４）光電変換によって出力される出力値から一対の像信号を生成する像信号生成手段（４４）と、前記像信号生成手段（４４）によって生成された一対の像信号のデフォーカス情報を算出するデジタル処理手段（４１）と、少なくとも２つ以上の被写体を指定する被写体指定手段（４５）と、前記被写体指定手段（４５）によって指定された複数の被写体に対して、前記デジタル処理手段（４１）によって生成された情報に応じて、相対的なデフォーカス量を表示する表示手段（４３）と、を有することを特徴とする。【選択図】図１
2017224914.tif 000002
【特許請求の範囲】
【請求項１】
レンズユニットの少なくとも一部を光軸に対して偏芯可能な撮像光学系（１０）と、
前記撮像光学系（１０）から入射された光束を複数の領域に瞳分割するように撮像画素を複数配列した撮像素子（２４）と、
前記撮像素子（２４）光電変換によって出力される出力値から一対の像信号を生成する像信号生成手段（４４）と、
前記像信号生成手段（４４）によって生成された一対の像信号のデフォーカス情報を算出するデジタル処理手段（４１）と、
少なくとも２つ以上の被写体を指定する被写体指定手段（４５）と、
前記被写体指定手段（４５）によって指定された複数の被写体に対して、前記デジタル処理手段（４１）によって生成された情報に応じて、相対的なデフォーカス量を表示する表示手段（４３）と、
を有することを特徴とする撮像装置。
【請求項２】
前記撮像光学系（１０）は、レンズユニットの少なくとも一部を光軸に対して垂直に偏芯可能なことを特徴とする請求項１に記載の撮像装置。
【請求項３】
前記撮像光学系（１０）は、レンズユニットの少なくとも一部を光軸を中心として回転可能なことを特徴とする請求項１に記載の撮像装置。
【請求項４】
前記撮像装置は、ユーザーが選択可能な選択手段（４３・４６）を更に有し、前記被写体指定手段（４５）は、前記選択手段（４３・４６）の選択結果に基づいて被写体を指定することを特徴とする請求項１に記載の撮像装置。
【請求項５】
前記撮像装置は、外光変化を検出可能な外光変化検出手段（３３）を更に有し、前記被写体指定手段（４５）は、前記外光変化検出手段（３３）の出力結果に基づいて被写体を指定することを特徴とする請求項１に記載の撮像装置。
【請求項６】
前記撮像装置は、カメラ記憶部（４２）を更に有し、前記被写体指定手段（４５）は、前記カメラ記憶部（４２）に記憶された情報に基づいて被写体を指定することを特徴とする請求項１に記載の撮像装置。
【発明の詳細な説明】
【技術分野】
【０００１】
本発明は、撮像装置に関し、特に撮像面位相差ＡＦ機能を備える撮像装置に関する。
【背景技術】
【０００２】
従来から、撮像素子を用いた焦点状態を検出する方式として、撮像面位相差ＡＦが知られている。撮像面位相差ＡＦは、撮像光学系の射出瞳を通過した光束を分割して得られた分割光束を複数の焦点検出画素により受光し、その受光量に応じて出力される信号のずれ量に基づいて合焦に必要なフォーカスレンズの駆動量を求める。撮像面位相差ＡＦによれば、高速かつ滑らかな焦点調節動作が可能である。
【０００３】
特許文献１には、１つのマイクロレンズに複数に分割された光電変換部が形成されている２次元撮像素子を備えた撮像装置が開示されている。分割された光電変換部は、１つのマイクロレンズを介して撮像光学系の射出瞳の異なる瞳部分領域を受光するように構成され、瞳分割を行っている。撮像光学系の焦点状態を検出する（焦点検出を行う）ときには、上記瞳分割された画素によって生成される一対の像信号の位相差を求め、その位相差から焦点状態を求める。
【０００４】
また、従来から、レンズ偏芯機能（シフト機構、ティルト機構、レボルビング機構）を有する交換レンズおよびその交換レンズを用いた撮影機能を備えるカメラが知られている。
【０００５】
特許文献２では、カメラの傾き角を検出し、撮像素子を偏芯させることで最適な偏芯量を自動で調整する調整機能について開示されている。
【先行技術文献】
【特許文献】
【０００６】
【特許文献１】米国特許第４４１０８０４号明細書
【特許文献２】特許第５１７６９１２号公報
【発明の概要】
【発明が解決しようとする課題】
【０００７】
しかしながら、特許文献２では被写体が垂直であることが前提であるため、垂直ではない微妙な角度の被写体に対しては、カメラ側で被写体の全面にピントの合う最適な偏芯量を算出できない。
【課題を解決するための手段】
【０００８】
上記の課題を解決するために、本発明に係る撮像装置は、
レンズユニットの少なくとも一部を光軸に対して偏芯可能な撮像光学系（１０）と、
前記撮像光学系（１０）から入射された光束を複数の領域に瞳分割するように撮像画素を複数配列した撮像素子（２４）と、
前記撮像素子（２４）光電変換によって出力される出力値から一対の像信号を生成する像信号生成手段（４４）と、
前記像信号生成手段（４４）によって生成された一対の像信号のデフォーカス情報を算出するデジタル処理手段（４１）と、
少なくとも２つ以上の被写体を指定する被写体指定手段（４５）と、
前記被写体指定手段（４５）によって指定された複数の被写体に対して、前記デジタル処理手段（４１）によって生成された情報に応じて、相対的なデフォーカス量を表示する表示手段（４３）と、
を有することを特徴とする。
【発明の効果】
【０００９】
本発明に係る撮像装置によれば、レンズ偏芯機能を有する交換レンズにおいて、どのような被写体にも最適な偏芯量を提示することができる。
【図面の簡単な説明】
【００１０】
【図１】本発明の実施例１における撮像装置の概略構成図
【図２】本発明の実施例１における画素配列の概略図
【図３】本発明の実施例１における画素の概略平面図と概略断面図
【図４】本発明の実施例１における画素と瞳分割の概略説明図
【図５】本発明の実施例１における撮像素子と瞳分割の概略説明図
【図６】本発明の実施例１における第１焦点検出信号と第２焦点検出信号のデフォーカス量と像ずれ量の概略関係図
【図７】本発明の実施例１におけるレンズ偏芯量と指定被写体のデフォーカス量を背面モニタに表示する方法を表した図
【図８】本発明の実施例１におけるレンズ偏芯量と指定被写体のデフォーカス量を背面モニタ４３に表示するまでの動作フローを表した図
【発明を実施するための形態】
【００１１】
以下に、本発明の好ましい実施の形態を、添付の図面に基づいて詳細に説明する。
【実施例１】
【００１２】
［全体構成］
本発明における撮像装置の概略構成図を、図１に示す。
【００１３】
図１には、本発明の実施例１であるデジタル一眼レフカメラ２と該カメラ２に対して交換が可能な交換レンズ１とにより構成されるカメラシステムの構成を示している。
【００１４】
交換レンズ１内には撮像光学系１０が収容されている。撮像光学系１０は、複数のレンズや絞りにより構成される。また、交換レンズ１は少なくとも１つ以上のレンズを光軸に対して偏芯することが可能となっており、交換レンズ１の光軸に対して直行するあらかじめ決められた方向に偏芯させるシフト機構１６と、交換レンズ１の光軸に対して円弧上であらかじめ決められた方向に偏芯させるティルト機構１７と、ティルト機構１７を回転させ、ティルト機構の偏芯方向を変更可能なレボルビング機構１８を有している。
【００１５】
レンズ記憶部１４は、ＲＯＭ等により構成され、交換レンズ１の識別情報や撮像光学系１０の光学情報等の各種情報を記憶している。
【００１６】
電気接点１５は交換レンズ１とデジタル一眼レフカメラ２との通信を可能としており、レンズ記憶部１４に記憶されている情報や、後述のレンズ駆動部１１から出力されるフォーカスレンズ位置情報などの情報をカメラ制御部４０に転送することが可能となっている。
【００１７】
フォーカスレンズ１０ａは光軸方向に移動可能となっており、光軸方向に移動させることでピント合わせを行うことができる。
【００１８】
レンズ駆動部１１は、光軸方向に移動可能なフォーカスレンズ１０ａを後述のレンズ制御部１３によって制御および駆動を行う。また、フォーカスレンズ１０ａの位置を検出し、レンズ制御部１３および、前述の電気接点１５を介してカメラ制御部４０にフォーカスレンズ位置情報を転送することが可能となっている。
【００１９】
カメラ２において、ハーフミラーで構成された主ミラー２０は、ユーザーが光学ファインダを通して被写体を観察する光学ファインダ観察時には、図示のように撮影光路内のダウン位置に配置されて撮像光学系１０からの光をピント板３０に向けて反射する。また、主ミラー２０は、背面モニタ４３にライブビュー画像を表示するライブビュー観察時や記録用画像（静止画および動画）を生成する撮影時には、撮影光路から退避するアップ位置に回動する。これにより、撮像光学系１０からの光は、シャッタ２３および撮像素子２４に向かう。
【００２０】
サブミラー２１は、主ミラー２０とともに回動し、ダウン位置に配置された主ミラー２０を透過した光をＡＦセンサユニット２２に導く。また、主ミラー２０がアップ位置に回動すると、サブミラー２１も撮影光路から退避する。
【００２１】
ＡＦセンサユニット２２は、被写体から撮像光学系１０を通り、さらにサブミラー２１で反射して入射した光を用いて、カメラ２による撮影範囲内に設けられた複数の焦点検出領域において位相差検出方式による撮像光学系の焦点状態の検出（焦点検出）を行う。ＡＦセンサユニット２２は、各焦点検出領域からの光に一対の像（被写体像）を形成させる２次結像レンズと、該一対の被写体像を光電変換する一対の受光素子列が配置されたエリアセンサ（ＣＣＤ又はＣＭＯＳ）とを含む。エリアセンサの一対の受光素子列は、一対の被写体像の輝度分布に応じた光電変換信号である一対の像信号をカメラ制御部４０に出力する。エリアセンサ上には、複数の焦点検出領域に対応した複数対の受光素子列が２次元配置されている。
【００２２】
シャッタ２３は、光学ファインダ観察時には閉じ、ライブビュー観察時および動画撮影時には開放されて撮像光学系１０により形成された被写体像の撮像素子２４による光電変換（ライブビュー画像および撮影動画の生成）を可能とする。さらに、静止画撮影時には、設定されたシャッタ秒時で開閉し、撮像素子２４の露光を制御する。
【００２３】
撮像素子２４は、ＣＭＯＳイメージセンサ又はＣＣＤイメージセンサとその周辺回路により構成され、撮像光学系１０により形成された被写体像を光電変換してアナログ撮像信号を出力する。撮像素子２４の各画素部には、撮像用素子と焦点検出用素子を兼用した瞳分割用の複数の副画素が配置されている。これについては、後に詳しく説明する。また、撮像素子２４は撮像光学系１０により形成された被写体像の輝度を測定することが可能となっている。
【００２４】
ピント板３０は、撮像素子２４と等価な位置である撮像光学系１０の１次結像面に配置されている。光学ファインダ観察時には、ピント板３０上に、被写体像（ファインダー像）が形成される。ペンタプリズム３１は、ピント板３０上に形成された被写体像を正立正像に変換する。接眼レンズ３２は、正立正像をユーザーに観察させる。ピント板３０、ペンタプリズム３１および接眼レンズ３２により光学ファインダが構成される。
【００２５】
ＡＥセンサ３３は、ピント板３０からの光を、ペンタプリズム３１を介して受光し、該ピント板３０上に形成された被写体像の輝度を測定する。ＡＥセンサ３３は、複数のフォトダイオードを有し、カメラ２による撮影範囲を分割するように設定された複数の測光領域のそれぞれで輝度を測定することができる。また、被写体像の輝度測定のほかにも、被写体像の形や色などを測定して被写体の状態を判定する被写体検知機能も備える。
【００２６】
カメラ制御部４０は、ＭＰＵ等を含むマイクロコンピュータにより構成され、カメラ２と交換レンズ１からなるカメラシステム全体の動作を制御する。
【００２７】
カメラ制御部４０は、ＡＦセンサユニット２２から得られた一対の像信号の位相差を算出し、該位相差から撮像光学系１０の焦点状態（デフォーカス量）を算出する。さらに、カメラ制御部４０は、検出した撮像光学系１０の焦点状態に基づいて、撮像光学系１０の合焦状態を得るためにフォーカスレンズ１０ａを移動させるべき位置である合焦位置を算出する。そして、カメラ制御部４０は、位相差ＡＦにより算出した合焦位置にフォーカスレンズ１０ａを移動させるようレンズ制御部１３にフォーカス指令を送信する。レンズ制御部１３は、受信したフォーカス指令に応じて、レンズ駆動部１１を介してフォーカスレンズ１０ａを合焦位置に移動させる。これにより、撮像光学系１０の合焦状態が得られる。
【００２８】
また、カメラ制御部４０は、電気接点１５を通して得られる交換レンズ１の情報を取得し、シフト機構１６、ティルト機構１７、レボルビング機構１８の各機構の移動量から、現在の実際の偏芯量を算出することができる。
【００２９】
デジタル処理手段４１は、撮像素子２４からのアナログ撮像信号をデジタル撮像信号に変換し、さらに該デジタル撮像信号に対して各種処理を行って画像信号（画像データ）を生成する。撮像素子２４およびデジタル処理手段４１により撮像系が構成される。
【００３０】
デジタル処理手段４１は、前記撮像素子２４に配置されている瞳分割用の複数の副画素の出力信号に応じた第１焦点検出信号と第２焦点検出信号をそれぞれ生成する像信号生成手段４４がある。第１焦点検出信号と第２焦点検出信号については後で詳しく説明する。
【００３１】
デジタル処理手段４１は、像信号生成手段４４により生成された前記第１焦点検出信号および前記第２焦点検出信号を用いて、位相差検出方式による焦点状態（デフォーカス量）の検出を行う。さらに、デジタル処理手段４１は、検出した撮像光学系１０の焦点状態に基づいて、撮像光学系１０の合焦状態を得るためにフォーカスレンズ１０ａを移動させるべき位置である合焦位置を算出する。この機能を撮像面位相差ＡＦという。
【００３２】
また、デジタル処理手段４１は、指定された方法に応じて、少なくとも２つ以上の被写体を指定する被写体指定手段４５を有する。具体的には、選択ボタン４６の押下による選択結果や後述する背面モニタ４３に備えられたタッチパネル機能による選択結果、あるいは、ＡＥセンサ３３によって出力される被写体の顔や色、形による情報を用いた被写体検出結果や、後述のカメラ記憶部４２に登録された情報をもとに被写体を検出するなどといった自動被写体検出機能によって被写体を指定することが可能である。
【００３３】
カメラ記憶部４２は、カメラ制御部４０やデジタル処理手段４１の動作で用いられる各種データを記憶している。また、カメラ記憶部４２は、生成された記録用画像を保存する。
【００３４】
背面モニタ４３は、液晶パネル等の表示素子により構成され、ライブビュー画像、記録用画像および各種情報を表示する。なお背面モニタ４３には、タッチパネル機能が備えられ、ユーザーのタッチ操作によって背面モニタ４３上で任意の操作が可能である。
【００３５】
［撮像素子］
実施例１の撮像素子２４の配列の概略図を、図２に示す。
【００３６】
実施例１において、図２に示した２列×２行の画素群２００は、Ｒ（赤）の分光感度を有する画素２００Ｒが左上に、Ｇ（緑）の分光感度を有する画素２００Ｇが右上と左下に、Ｂ（青）の分光感度を有する画素２００Ｂが右下に配置されている。さらに、各画素は２列×１行に配列された第１焦点検出画素２０１と第２焦点検出画素２０２により構成されている。
【００３７】
図２に示した４列×４行の画素（８列×４行の焦点検出画素）を面上に多数配置し、撮像画像（焦点検出信号）の取得を可能としている。本実施例１では、画素の周期Ｐが４μｍ、画素数Ｎが横５５７５列×縦３７２５行＝約２０７５万画素、焦点検出画素の列方向周期ＰＡＦが２μｍ、焦点検出画素数ＮＡＦが横１１１５０列×縦３７２５行＝約４１５０万画素の撮像素子として説明を行う。
【００３８】
図２に示した撮像素子の１つの画素２００Ｇを、撮像素子の受光面側（＋ｚ側）から見た平面図を図３（ａ）に示し、図３（ａ）のａ−ａ断面を−ｙ側から見た断面図を図３（ｂ）に示す。
【００３９】
図３に示すように、本実施例１の画素２００Ｇでは、各画素の受光側に入射光を集光するためのマイクロレンズ３０５が形成され、ｘ方向にＮＨ分割（２分割）、ｙ方向にＮＶ分割（１分割）された光電変換部３０１と光電変換部３０２が形成される。光電変換部３０１と光電変換部３０２が、それぞれ、第１焦点検出画素２０１と第２焦点検出画素２０２に対応する。
【００４０】
光電変換部３０１と光電変換部３０２は、ｐ型層とｎ型層の間にイントリンシック層を挟んだｐｉｎ構造フォトダイオードとしても良いし、必要に応じて、イントリンシック層を省略し、ｐｎ接合フォトダイオードとしても良い。
【００４１】
各画素には、マイクロレンズ３０５と、光電変換部３０１および光電変換部３０２との間に、カラーフィルター３０６が形成される。また、必要に応じて、各副画素毎にカラーフィルターの分光透過率を変えても良いし、カラーフィルターを省略しても良い。
【００４２】
図３に示した画素２００Ｇに入射した光は、マイクロレンズ３０５により集光され、カラーフィルター３０６で分光されたのち、光電変換部３０１と光電変換部３０２で受光される。
【００４３】
光電変換部３０１と光電変換部３０２では、受光量に応じて電子とホールが対生成し、空乏層で分離された後、負電荷の電子はｎ型層（不図示）に蓄積され、一方、ホールは定電圧源（不図示）に接続されたｐ型層を通じて撮像素子外部へ排出される。
【００４４】
光電変換部３０１と光電変換部３０２のｎ型層（不図示）に蓄積された電子は、転送ゲートを介して、静電容量部（ＦＤ）に転送され、電圧信号に変換される。
【００４５】
図３に示した本実施例１の画素構造と瞳分割との対応関係を示した概略説明図を図４に示す。図３（ａ）に示した本実施例１の画素構造のａ−ａ断面を＋ｙ側から見た断面図と結像光学系の射出瞳面を図４に示す。図４では、射出瞳面の座標軸と対応を取るために、断面図のｘ軸とｙ軸を図３に対して反転させている。
【００４６】
図４で、第１焦点検出画素２０１の第１瞳部分領域５０１は、重心が−ｘ方向に偏心している光電変換部３０１の受光面と、マイクロレンズによって、概ね、共役関係になっており、第１焦点検出画素２０１で受光可能な瞳領域を表している。第１焦点検出画素２０１の第１瞳部分領域５０１は、瞳面上で＋Ｘ側に重心が偏心している。
【００４７】
図４で、第２焦点検出画素２０２の第２瞳部分領域５０２は、重心が＋ｘ方向に偏心している光電変換部３０２の受光面と、マイクロレンズによって、概ね、共役関係になっており、第２焦点検出画素２０２で受光可能な瞳領域を表している。第２焦点検出画素２０２の第２瞳部分領域５０２は、瞳面上で−Ｘ側に重心が偏心している。
【００４８】
また、図４で、瞳領域５００は、光電変換部３０１と光電変換部３０２（第１焦点検出画素２０１と第２焦点検出画素２０２）を全て合わせた際の画素２００Ｇ全体で受光可能な瞳領域である。
【００４９】
本実施例１の撮像素子と瞳分割との対応関係を示した概略図を図５に示す。
【００５０】
第１瞳部分領域５０１と第２瞳部分領域５０２の異なる瞳部分領域を通過した光束は、撮像素子の各画素に、それぞれ、異なる角度で入射し、２×１分割された第１焦点検出画素２０１と第２焦点検出画素２０２で受光される。本実施例１は、瞳領域が水平方向に２つに瞳分割されている例である。必要に応じて、垂直方向に瞳分割を行っても良い。
【００５１】
本発明の撮像素子は、結像光学系の第１瞳部分領域を通過する光束を受光する第１焦点検出画素と、第１瞳部分領域と異なる結像光学系の第２瞳部分領域を通過する光束を受光する第２焦点検出画素と、結像光学系の第１瞳部分領域と第２瞳部分領域を合わせた瞳領域を通過する光束を受光する撮像画素が複数配列されている。本実施例１の撮像素子では、それぞれの撮像画素が第１焦点検出画素と第２焦点検出画素から構成されている。
【００５２】
必要に応じて、撮像画素と第１焦点検出画素、第２焦点検出画素を個別の画素構成とし、撮像画素配列の一部に、第１焦点検出画素と第２焦点検出画素を部分的に配置する構成としても良い。
【００５３】
本実施例１では、撮像素子の各画素の第１焦点検出画素２０１の受光信号を集めて第１焦点検出信号を生成し、各画素の第２焦点検出画素２０２の受光信号を集めて第２焦点検出信号を生成して焦点検出を行う。また、撮像素子の画素毎に、第１焦点検出画素２０１と第２焦点検出画素２０２の信号を加算することで、有効画素数Ｎの解像力の撮像信号（撮像画像）を生成する。
【００５４】
［デフォーカス量と像ずれ量の関係］
以下、本実施例１の撮像素子により取得される第１焦点検出信号と第２焦点検出信号のデフォーカス量と像ずれ量の関係について説明する。
【００５５】
図６に、第１焦点検出信号と第２焦点検出信号のデフォーカス量と第１焦点検出信号と第２焦点検出信号間の像ずれ量の概略関係図を示す。
【００５６】
撮像面８００に本実施例１の撮像素子（不図示）が配置され、図４、図５と同様に、結像光学系の射出瞳が、第１瞳部分領域５０１と第２瞳部分領域５０２に２分割される。
【００５７】
デフォーカス量ｄは、被写体の結像位置から撮像面までの距離を大きさ｜ｄ｜とし、被写体の結像位置が撮像面より被写体側にある前ピン状態を負符号（ｄ＜０）、被写体の結像位置が撮像面より被写体の反対側にある後ピン状態を正符号（ｄ＞０）として定義される。被写体の結像位置が撮像面（合焦位置）にある合焦状態はｄ＝０である。図６で、被写体８０１は合焦状態（ｄ＝０）の例を示しており、被写体８０２は前ピン状態（ｄ＜０）の例を示している。前ピン状態（ｄ＜０）と後ピン状態（ｄ＞０）を合わせて、デフォーカス状態（｜ｄ｜＞０）とする。
【００５８】
前ピン状態（ｄ＜０）では、被写体８０２からの光束のうち、第１瞳部分領域５０１（第２瞳部分領域５０２）を通過した光束は、一度、集光した後、光束の重心位置Ｇ１（Ｇ２）を中心として幅Γ１（Γ２）に広がり、撮像面８００でボケた像となる。ボケた像は、撮像素子に配列された各画素を構成する第１焦点検出画素２０１（第２焦点検出画素２０２）により受光され、第１焦点検出信号（第２焦点検出信号）が生成される。よって、第１焦点検出信号（第２焦点検出信号）は、撮像面８００上の重心位置Ｇ１（Ｇ２）に、被写体８０２が幅Γ１（Γ２）にボケた被写体像として記録される。被写体像のボケ幅Γ１（Γ２）は、デフォーカス量ｄの大きさ｜ｄ｜が増加するのに伴い、概ね、比例して増加していく。同様に、第１焦点検出信号と第２焦点検出信号間の被写体像の像ずれ量ｐ（＝光束の重心位置の差Ｇ１−Ｇ２）の大きさ｜ｐ｜も、デフォーカス量ｄの大きさ｜ｄ｜が増加するのに伴い、概ね、比例して増加していく。後ピン状態（ｄ＞０）でも、第１焦点検出信号と第２焦点検出信号間の被写体像の像ずれ方向が前ピン状態と反対となるが、同様である。
【００５９】
したがって、本発明では、第１焦点検出信号と第２焦点検出信号、もしくは、第１焦点検出信号と第２焦点検出信号を加算した撮像信号のデフォーカス量の大きさが増加するのに伴い、第１焦点検出信号と第２焦点検出信号間の像ずれ量の大きさが増加する。
【００６０】
なお、撮像面位相差ＡＦにおいては、第１焦点検出信号と第２焦点検出信号を相対的にシフトさせて信号の一致度を表す相関量（第１評価値）を計算し、相関（信号の一致度）が良くなるシフト量から像ずれ量を検出する。撮像信号のデフォーカス量の大きさが増加するのに伴い、第１焦点検出信号と第２焦点検出信号間の像ずれ量の大きさが増加する関係性から、像ずれ量を第１検出デフォーカス量に変換して焦点検出を行う。
【００６１】
［表示方法］
以下、図７を用いて本実施例１のレンズ偏芯量と指定被写体のデフォーカス量を背面モニタ４３に表示する方法について説明する。
【００６２】
図７において、７０１および７０２は指定された被写体それぞれのデフォーカスの絶対量（ｄ）を示しており、被写体に重畳して表示する。また指標は合焦時に矢印の先端が重なるように表示し、ピントにずれが生じている際は、円形の表示を矢印の先端がなぞる様に移動する構成となっており、更に、指標の色はそれぞれで別の色で表示している。また、７０１に対応した指標７０１ａおよび７０２に対応した指標７０２ａを現在のデフォーカス量を表す目盛７０４に示しており、７０１と７０１ａは同色、７０２と７０２ａは同色となっている。更に、７０５は指標７０１ａおよび指標７０２ａが同一のデフォーカス量となった際の指標であり、デフォーカス量に相違があった際とは指標の色を変更して、ユーザーに視認可能としている。また、７０３は現在のレンズの偏芯量を示した目盛である。
【００６３】
図７（ａ）はレンズの偏芯を行わず、指定した２つの被写体の一方にのみ合焦している際の図である。
【００６４】
７０１は合焦状態（ｄ＝０）、７０２は前ピン状態（ｄ＝＋６）となっている。なお、被写体の指定方法は前述のように、選択ボタン４６の押下による選択結果や背面モニタ４３に備えられたタッチパネル機能による選択結果、あるいは、ＡＥセンサ３３によって出力される被写体の顔や色、形による情報を用いた被写体検出結果や、カメラ記憶部４２に登録された情報をもとに被写体を検出するなどといった自動被写体検出機能によって被写体を指定することが可能となっている。
【００６５】
図７（ａ）では７０３はレンズの偏芯は行っていないため、０の位置に指標を表示し、７０４は合焦状態の７０１と対応した指標を０の位置に、前ピン状態（ｄ＝＋６）の７０２と対応した指標を＋６の位置に表示している。
【００６６】
図７（ｂ）は２つの被写体のデフォーカス量が同一になる位置までレンズを偏芯した際の図である。
【００６７】
図７（ｂ）ではレンズを＋２の位置まで偏芯し、７０１および７０２のデフォーカス量は前ピン状態（ｄ＝＋４）となっている。その時、７０３はレンズを＋２の位置まで偏芯しているため、＋２の位置に指標を表示し、７０４は前ピン状態（ｄ＝＋４）の７０１および７０２に対応した指標を＋４の位置に指標を表示おり、前述のように、図７（ａ）でデフォーカス量に相違があった際とは指標の色を変更して、ユーザーに視認可能としている。
【００６８】
本実施例１では、デフォーカス量が一致した際にユーザーに視認させる方法として、色を変更することを例に挙げたが、例えば指標を点滅させたり、一致した際に拡大したりと、その要旨の範囲内で種々の変形及び変更が可能である。
【００６９】
図７（ｃ）は２つの被写体のデフォーカス量が同一になる位置までレンズを偏芯し、且つ２つの被写体が合焦状態の際の図である。
【００７０】
図７（ｃ）ではレンズを＋２の位置まで偏芯し、更に、撮像素子２４から得られた一対の焦点検出信号を基に、電気接点１５を介してレンズ制御部１３にフォーカス指令を送信し、受信したレンズ制御部１３はレンズ駆動部１１を制御してフォーカスレンズ１０ａ光軸方向に移動させることでピント合わせを行っている。そのため、７０１および７０２のデフォーカス量は合焦状態（ｄ＝０）となっている。その時、７０３はレンズを＋２の位置まで偏芯しているため、＋２の位置に指標を表示し、７０４は合焦状態（ｄ＝０）の７０１および７０２に対応した指標を０の位置に指標を表示している。
【００７１】
なお、本実施例１ではフォーカスレンズ１０ａの駆動を自動で制御しているが、ユーザーが手動で移動させるなど、その要旨の範囲内で種々の変形及び変更が可能である。
【００７２】
［表示フロー］
以下、図８を用いて本実施例１のレンズ偏芯量と指定被写体のデフォーカス量を背面モニタ４３に表示するまでの動作フローについて説明する。
【００７３】
Ｓ９０１では、不図示のライヴビュー開始ボタンが押下されることを待っている。
【００７４】
ライヴビュー開始ボタンが押下されると、ミラーアップ（Ｓ９０２）し、シャッターを開放し（Ｓ９０３）、背面モニタ４３にスルー画を表示する（Ｓ９０４）。ライヴビュー状態へ移行するとＳ９０５へ移行する。
【００７５】
Ｓ９０５は、背面モニタ４３に表示された複数の被写体で、後述の焦点検出動作時に焦点検出を行う被写体を指定する。指定方法については前述のように、選択ボタン４６の押下による選択結果や背面モニタ４３に備えられたタッチパネル機能による選択結果、あるいは、ＡＥセンサ３３によって出力される被写体の顔や色、形による情報を用いた被写体検出結果や、カメラ記憶部４２に登録された情報をもとに被写体を検出するなどといった自動被写体検出機能によって被写体を指定することが可能である。被写体の指定が終了すると、Ｓ９０６に移行する。
【００７６】
Ｓ９０６では不図示のライヴビュー終了ボタンが押下されることを待っている。ライヴビュー終了ボタンが押下されると、背面モニタ４３を消灯（Ｓ９１５）し、シャッターを閉じ（Ｓ９１６）、ミラーダウンする（Ｓ９１７）。
【００７７】
押下されない場合は、Ｓ９０７へ移行する。
【００７８】
Ｓ９０７では不図示のＳＷ１が押下されることを待つことになる。ＳＷ１が押下されると、Ｓ９０５にて指定した複数の被写体に対して焦点検出動作（Ｓ９０８）を行い、電気接点１５を介して、交換レンズ１のレンズ偏芯量を取得する（Ｓ９０９）。焦点検出動作およびレンズ偏芯量の取得が終了したらＳ９１０へ移行する。
【００７９】
Ｓ９１０では、Ｓ９０８で取得した焦点検出動作による複数の被写体のデフォーカス量と、Ｓ９０９で取得したレンズ偏芯量を背面モニタ４３に表示し、表示結果を確認しながら、ユーザーが望む被写体のデフォーカス量となるようにレンズを偏芯することが可能となっている。表示が終了すると、Ｓ９１１へ移行する。
【００８０】
Ｓ９１１では、ユーザーによって交換レンズ１の少なくとも１つ以上のレンズが偏芯されたか否かを判定する。偏芯された場合は、再度レンズ偏芯量を取得（Ｓ９０９）し、背面パネルの表示を更新する（Ｓ９１０）。偏芯されない場合はＳ９１２へ移行する。
【００８１】
Ｓ９１２では、フォーカスレンズ位置を変更したか否かを判定する。フォーカスレンズの位置が変更された場合は、再度焦点検出動作を行う（Ｓ９０８）。フォーカスレンズの位置の変更がなければ、Ｓ９１３へ移行する。
【００８２】
Ｓ９１３では不図示のＳＷ２が押下されることを待つことになる。ＳＷ２が押下されると、Ｓ９１４へ移行する。
【００８３】
Ｓ９１４は撮影動作であり、シャッターを閉じて、結像された被写体の光学像を撮像素子によって光電変換し画像データとして保存した後に、シャッターを開放して次の撮影に備える。シャッター開放が終了するとＳ９０６へ移行する。
【００８４】
以上、本発明の好ましい実施形態について説明したが、本発明はこれらの実施形態に限定されず、その要旨の範囲内で種々の変形及び変更が可能である。
【符号の説明】
【００８５】
１０  撮像光学系、２４  撮像素子、４１  デジタル処理手段、４３  背面モニタ、
４４  像信号生成手段、４５  被写体指定手段
【図１】
2017224914.tif 000003
【図２】
2017224914.tif 000004
【図３】
2017224914.tif 000005
【図４】
2017224914.tif 000006
【図５】
2017224914.tif 000007
【図６】
2017224914.tif 000008
【図７】
2017224914.tif 000009
【図８】
2017224914.tif 000010